(57)【要約】  化粧パネルが容易に着脱可能であり、より意匠性に優れた換気扇を提供する。  ファン（１０７）及びファン（１０７）を回転させる電動機（１０５）を収容しファン（１０７）に空気を流通させる本体開口部（１０２ａ）を有する換気扇本体（１０１）と、本体開口部（１０２ａ）を覆うように配設される化粧パネル（１２０）と、換気扇本体（１０１）に対して着脱自在であり第１の側に化粧パネル（１２０）が取り付けられるオリフィス（１０９）と、を備え、化粧パネル（１２０）を取り付ける取り付け構造（１３０）は、化粧パネル（１２０）に設けられ、オリフィス（１０９）に向かって突出するボス部（１５２）と、ボス部（１５２）に設けられる爪部（１５３）と、を有するパネル側取り付け部（１５１）と、オリフィス（１０９）に設けられ、ボス部（１５２）が挿入され爪部（１５３）がオリフィス（１０９）の第１の側とは逆側の第２の側に露出し掛止される貫通孔（１４３）を有する、オリフィス側取り付け部（１４１）と、を有する、換気扇（１０）を提供する。
2020003391.tif 000002
【特許請求の範囲】
【請求項１】
ファンと、  前記ファンを回転させる電動機と、  前記ファン及び前記電動機を収容し、前記ファンに空気を流通させる本体開口部を有する換気扇本体と、  前記本体開口部を覆うように配設される化粧パネルと、  前記換気扇本体に対して着脱自在であり、第１の側に前記化粧パネルが取り付けられる被取り付け部材と、  を備え、  前記被取り付け部材に対して前記化粧パネルを取り付ける取り付け構造は、  前記化粧パネルに設けられ、前記被取り付け部材に向かって突出する第１のボス部と、前記第１のボス部に設けられる爪部と、を有する第１の取り付け部と、  前記被取り付け部材に設けられ、前記第１の取り付け部の前記第１のボス部が挿入され前記爪部が前記被取り付け部材の前記第１の側とは逆側の第２の側に露出し掛止される貫通孔を有する、第２の取り付け部と、  を有する、  換気扇。
【請求項２】
前記被取り付け部材は、前記換気扇本体に対して前記本体開口部を覆うように配設され、前記ファンと対向する部位にオリフィス開口部を有するオリフィスである、  請求項１に記載の換気扇。
【請求項３】
前記第１の取り付け部において、前記爪部は、前記第１のボス部の先端に設けられている、  請求項１又は２に記載の換気扇。
【請求項４】
前記第１の取り付け部において、前記爪部は、前記第１のボス部の途中に設けられている、  請求項１又は２に記載の換気扇。
【請求項５】
前記第１の取り付け部において、前記爪部は、１つの前記第１のボス部に対して一対設けられている、  請求項１〜４のいずれか１項に記載の換気扇。
【請求項６】
前記第１の取り付け部において、前記爪部は、１つの前記第１のボス部に対して１つ設けられている、  請求項１〜４のいずれか１項に記載の換気扇。
【請求項７】
前記第２の取り付け部は、前記化粧パネルに向かって突出する第２のボス部、を更に有し、  前記貫通孔は、前記第２のボス部を突出方向に貫くように形成されている、  請求項１〜６のいずれか１項に記載の換気扇。
【請求項８】
前記第２の取り付け部の前記第２のボス部は、略円筒形状である、  請求項７に記載の換気扇。
【請求項９】
前記第２の取り付け部の前記第２のボス部は、略四角筒形状である、  請求項７に記載の換気扇。
【請求項１０】
前記化粧パネルの前記被取り付け部材との対向面の形状、及び前記被取り付け部材の前記化粧パネルとの対向面の形状は、それぞれ、略四角形であり、  前記取り付け構造は、略四角形の２つの前記対向面の４隅に対応する位置にそれぞれ設けられている、  請求項１〜９のいずれか１項に記載の換気扇。
【請求項１１】
前記第１の取り付け部において、前記爪部は、１つの前記第１のボス部に対して１つ設けられており、  略四角形の２つの前記対向面の４隅に対応する位置にそれぞれ設けられている４つの前記取り付け構造において、前記爪部が設けられている方向がそれぞれ異なる、  請求項１０に記載の換気扇。
【請求項１２】
換気扇において、ファンに空気を流通させる換気扇本体の開口部を覆うように配設される化粧パネルを、前記換気扇本体に対して着脱自在である被取り付け部材の第１の側に取り付ける取り付け構造であって、  前記取り付け構造は、  前記化粧パネルに設けられ、前記被取り付け部材に向かって突出するボス部と、前記ボス部に設けられる爪部と、を有する第１の取り付け部と、  前記被取り付け部材に設けられ、前記第１の取り付け部の前記ボス部が挿入され前記爪部が前記被取り付け部材の前記第１の側とは逆側の第２の側に露出し掛止される貫通孔を有する、第２の取り付け部と、  を有する、  化粧パネルの取り付け構造。
【発明の詳細な説明】
【技術分野】
【０００１】  本発明は、換気扇、及び化粧パネルの取り付け構造に関する。
【背景技術】
【０００２】  従来、居室の壁に設けられた換気口穴に取り付けられ、室内空気と室外空気との換気を行う換気扇が知られている。例えば、特許文献１には、四角筒形状の換気扇本体の内部に、ファン及び電動機を備える換気扇が開示されている。当該換気扇は、居室の壁に設けられた換気口穴に換気扇本体をはめ込んだ後、当該換気扇本体の天面を貫通して設けられた取り付けボルトを締め込むことにより、当該壁に対して取り付けられる。【０００３】  特許文献１に例示されるような従来の換気扇では、その室内空間に対向する面に、意匠性を向上させるために化粧パネルが取り付けられることがある。当該化粧パネルは、例えば一面に格子が設けられた構造を有する。化粧パネルが取り付けられることにより、ファンや電動機等の換気扇の内部構造が室内側から視認され難くなるため、換気扇の意匠性を向上させることができる。従来、換気扇における化粧パネルの取り付け構造としては、ねじによって取り付けるもの、及び嵌め殺しになっているものが存在する。
【先行技術文献】
【特許文献】
【０００４】
【特許文献１】特開２０００−３０４３１８号公報
【発明の概要】
【発明が解決しようとする課題】
【０００５】  近年、住宅においては、高気密化及び高断熱化に伴い、換気の必要性が高まっている。そのため、例えば居室やトイレ等、入居者の目につきやすい場所に換気扇が設置されるケースが増えている。かかる状況においては、上述したような、化粧パネルを備える意匠性のより高い換気扇が求められている。【０００６】  一方、意匠性を考慮した場合、住人の好みに合わせて様々なデザインの化粧パネルを交換して使用したいとの要望がある。あるいは、外観を清潔なものに維持するために、化粧パネルを取り外して化粧パネル及びオリフィスを個別に清掃したいという要望もある。かかる状況に鑑みると、換気扇の化粧パネルについては、容易に着脱可能であることが求められている。【０００７】  ここで、上述したように、従来、換気扇における化粧パネルの取り付け構造としては、ねじによって取り付けるもの、及び嵌め殺しになっているものが存在する。つまり、従来の取り付け構造は、工具を用いないと化粧パネルの取り付け及び取り外しを行えなかったり、化粧パネルを一度取り付けたら容易には取り外せない構造となっており、容易に着脱可能な構造とは言い難かった。【０００８】  本発明は、上記の問題に鑑みてなされたものであり、化粧パネルを容易に着脱可能とする化粧パネルの取り付け構造、及び当該取り付け構造を備える換気扇を提供することを目的とする。
【課題を解決するための手段】
【０００９】  上記目的を達成するために、本発明によれば、ファンと、ファンを回転させる電動機と、ファン及び電動機を収容し、ファンに空気を流通させる本体開口部を有する換気扇本体と、本体開口部を覆うように配設される化粧パネルと、換気扇本体に対して着脱自在であり、第１の側に化粧パネルが取り付けられる被取り付け部材と、を備え、被取り付け部材に対して化粧パネルを取り付ける取り付け構造は、化粧パネルに設けられ、被取り付け部材に向かって突出する第１のボス部と、第１のボス部に設けられる爪部と、を有する第１の取り付け部と、被取り付け部材に設けられ、第１の取り付け部の第１のボス部が挿入され爪部が被取り付け部材の第１の側とは逆側の第２の側に露出し掛止される貫通孔を有する、第２の取り付け部と、を有する、換気扇が提供される。【００１０】  上記目的を達成するために、本発明によれば、換気扇において、ファンに空気を流通させる換気扇本体の開口部を覆うように配設される化粧パネルを、換気扇本体に対して着脱自在である被取り付け部材の第１の側に取り付ける取り付け構造であって、当該取り付け構造は、化粧パネルに設けられ、被取り付け部材に向かって突出するボス部と、ボス部に設けられる爪部と、を有する第１の取り付け部と、被取り付け部材に設けられ、第１の取り付け部のボス部が挿入され爪部が被取り付け部材の第１の側とは逆側の第２の側に露出し掛止される貫通孔を有する、第２の取り付け部と、を有する、化粧パネルの取り付け構造が提供される。
【発明の効果】
【００１１】  本発明によれば、ユーザは、第１の取り付け部の第１のボス部を第２の取り付け部の貫通孔に差し込むだけで、化粧パネルを被取り付け部材に取り付けることが可能になる。また、ユーザは、被取り付け部材の第２の側から爪部を把持しながら、第１の取り付け部の第１のボス部を第２の取り付け部の貫通孔から引き抜くことにより、化粧パネルを被取り付け部材から取り外すことが可能になる。このように、本発明によれば、従来の構造に比べて、化粧パネルが容易に着脱可能となる。
【図面の簡単な説明】
【００１２】
【図１】本発明の実施の形態１に係る換気扇の分解斜視図である。
【図２】本発明の実施の形態１に係る換気扇の部分断面図であり、オリフィス側取り付け部の構造を示す図である。
【図３】本発明の実施の形態１に係る換気扇におけるパネル側取り付け部の構造を示す図である。
【図４】本発明の実施の形態１に係る換気扇において、オリフィスに化粧パネルが取り付けられた状態における取り付け構造を示す部分断面図である。
【図５】本発明の実施の形態２に係る換気扇におけるパネル側取り付け部の構造を示す図である。
【図６】本発明の実施の形態３に係る換気扇におけるオリフィス及び化粧パネルを室内側から見た様子を示す図である。
【図７】本発明の実施の形態３に係る換気扇におけるオリフィス側取り付け部の構造を示す図である。
【図８】本発明の実施の形態３に係る換気扇におけるオリフィス及び化粧パネルをオリフィスの第２の側から見た様子を示す図である。
【図９】本発明の実施の形態４に係る換気扇のオリフィス及び化粧パネルの側面図である。
【図１０】本発明の実施の形態４に係る換気扇のオリフィス及び化粧パネルの縦断面図である。
【図１１】本発明の実施の形態５に係る換気扇におけるオリフィス及び化粧パネルをオリフィスの第２の側から見た様子を示す図である。
【図１２】本発明の実施の形態５に係る換気扇のパネル側取り付け部の構造を示す図である。
【発明を実施するための形態】
【００１３】  以下に添付図面を参照しながら、本発明の好適な実施の形態について詳細に説明する。なお、本明細書及び図面において、実質的に同一の機能を有する構成については、同一の符号を付することにより重複説明を省略する。また、図面において、装置の構成を示す図は、あくまで装置の概略構成を示す図である。各図面において図示される各部材の相対的な大きさ、及び相対的な位置は、必ずしも実際の部材間における大小関係及び位置関係を正確に表現するものではない。
【００１４】  実施の形態１．  図１〜図４を参照して、本発明の実施の形態１に係る換気扇１０の構成について説明する。図１は、本発明の実施の形態１に係る換気扇１０の分解斜視図である。図２は、本発明の実施の形態１に係る換気扇１０の部分断面図であり、後述するオリフィス側取り付け部１４１の構造を示す図である。なお、図２では、説明のため、換気扇１０において後述する化粧パネル１２０が取り外された状態を示している。図３は、本発明の実施の形態１に係る換気扇１０における、後述するパネル側取り付け部１５１の構造を示す図である。図４は、本発明の実施の形態１に係る換気扇１０において、後述するオリフィス１０９に化粧パネル１２０が取り付けられた状態における取り付け構造１３０を示す部分断面図である。
【００１５】  図１に示すように、実施の形態１に係る換気扇１０は、換気扇本体１０１と、電動機１０５と、ファン１０７と、シャッター１０８と、化粧パネル１２０と、当該化粧パネル１２０が取り付けられる被取り付け部材として機能するオリフィス１０９と、を主に備える。換気扇１０は、居室の壁に設けられた換気口穴に取り付けられ、室内空気と室外空気との換気を行う。なお、以下では、換気扇の構成について説明する際に、換気扇が取り付けられる壁の厚み方向をｚ軸方向とも記載する。ｚ軸方向について、室外側から室内側に向かう方向を正方向とし、その逆方向を負方向とする。また、ｚ軸方向と互いに直交する２方向を、それぞれ、ｘ軸方向及びｙ軸方向とも記載する。換気扇が壁に取り付けられた状態において、上下方向をｙ軸方向、左右方向をｘ軸方向とする。
【００１６】  換気扇本体１０１は、対向する２面に開口部（本体開口部１０２ａ、１０２ｂ）が設けられた、略四角筒形状の部材である。換気扇本体１０１は、換気扇１０全体を支持する強度を有するように、金属材料又は樹脂材料等によって形成される。金属材料が用いられる場合には、金属板を組み合わせて換気扇本体１０１が形成されてよい。換気扇本体１０１は、その本体開口部１０２ａ、１０２ｂが室内側空間及び室外側空間とそれぞれ対向するように、居室の壁に設けられた換気口穴に嵌め込まれる。換気扇本体１０１の室内側の本体開口部１０２ａの縁部には、壁に沿って当該本体開口部１０２ａの外側に向かって張り出すように、フランジ１０３が形成されている。フランジ１０３の一部領域には、後述するオリフィス１０９のオリフィス側掛止部１１２が掛止される、段差形状を有するフランジ側被掛止部１０４が設けられる。なお、図示する例では換気扇本体１０１は略四角筒形状であるが、実施の形態１はかかる例に限定されない。例えば、換気扇本体１０１は略円筒形状であってもよい。
【００１７】  換気扇本体１０１の内部には、その回転軸１０６がｚ軸方向と略平行になるように、かつ室内側に向かって突出するように、電動機１０５が配設される。換気扇本体１０１の内部には、電動機１０５を支持する部材である電動機固定脚１１５が、略Ｈ字状に延設される。電動機固定脚１１５の略Ｈ字の中央に電動機１０５がねじ等によって固定される。略Ｈ字の縦棒に当たる部位は、その両端が換気扇本体１０１の対向する内壁にそれぞれ接続するように、換気扇本体１０１の内部に延設される。なお、電動機固定脚１１５の形状はかかる例に限定されない。電動機固定脚１１５は、換気扇本体１０１内に電動機１０５を所望の位置及び姿勢で固定し得るものであればよく、その形状は任意であってよい。例えば、電動機固定脚１１５は、略Ｉ字形状や放射状であってもよい。
【００１８】  電動機１０５の回転軸１０６には、ファン１０７が着脱自在に取り付けられる。換気扇１０が壁に取り付けられた状態において、電動機１０５によりファン１０７が回転させられることで、換気扇本体１０１の本体開口部１０２ａ、１０２ｂを介して、室内側の空気が室外に流動され、換気が行われる。
【００１９】  換気扇本体１０１の室外側の本体開口部１０２ｂには、当該本体開口部１０２ｂを開閉する複数の板形状のシャッター１０８が設けられる。シャッター１０８の各々は、その板形状の上辺に当たる一辺を回転軸として回動可能に構成されている。ファン１０７が回転すると、シャッター１０８の各々は、ファン１０７が発生させる換気流の風圧によって、当該回転軸を中心として回動し、横向き（すなわち、その板面がｚ軸方向と略平行な状態）となる。これにより、風路が開く。一方、ファン１０７が停止すると、シャッター１０８の各々は、自重により下方へ回動し（すなわち、その板面がｚ軸方向と略直交する状態となり）、風路が閉ざされる。
【００２０】  シャッター１０８を備えることで、風による外気の侵入や雨水の侵入を防止することができる。なお、シャッター１０８の開閉方式は、上述した風圧式に限定されず、例えば機械式であってもよい。また、シャッター１０８の枚数も限定されず、任意に決定されてよい。
【００２１】  換気扇本体１０１の室内側の面には、オリフィス１０９が着脱自在に設けられる。オリフィス１０９は、略正方形の面を有する板状の部材であるオリフィス本体部１１０と、オリフィス１０９を換気扇本体１０１に取り付けるためのオリフィス側掛止部１１２と、オリフィス１０９に対して化粧パネル１２０を取り付けるためのオリフィス側取り付け部１４１と、を有する。なお、オリフィス側取り付け部１４１の構造については後で詳細に説明する。
【００２２】  オリフィス本体部１１０の四辺は、板面と略垂直な方向に折り曲げられている。図２に示すように、オリフィス本体部１１０の当該折り曲げられた部位には、内側に向かって突出するオリフィス側掛止部１１２が設けられている。オリフィス本体部１１０がフランジ１０３ごと換気扇本体１０１の本体開口部１０２ａを覆うように配設され、そのオリフィス側掛止部１１２が当該フランジ１０３のフランジ側被掛止部１０４に対して掛止されることにより（具体的には、凸部からなるオリフィス側掛止部１１２が、フランジ側被掛止部１０４の段差に掛止されることにより）、オリフィス１０９が、換気扇本体１０１に取り付けられる。
【００２３】  オリフィス本体部１１０には、オリフィス１０９が換気扇本体１０１に取り付けられた状態においてファン１０７と対向する部位に、オリフィス開口部１１１が設けられる。オリフィス１０９が換気扇本体１０１に取り付けられた状態においては、オリフィス本体部１１０の板面により換気扇本体１０１とファン１０７との隙間が塞がれ、換気扇本体１０１のファン１０７に対向する部位だけがオリフィス開口部１１１によって開口されることとなる。かかる構成により、オリフィス開口部１１１は、空気をファン１０７に効率良く流通させる風洞として機能することとなる。なお、本明細書では、オリフィス１０９について、その室内側を第１の側と記載し、第１の側の逆側のことを第２の側と記載することがある。
【００２４】  なお、以上説明した換気扇１０の構成は、一般的な換気扇と同様であってよい。換言すれば、以上説明した換気扇１０の構成としては、一般的な換気扇において用いられている各種の公知の構成が適用されてよい。
【００２５】  オリフィス１０９の第１の側には、換気扇本体１０１の本体開口部１０２ａ及びオリフィス１０９のオリフィス開口部１１１を覆うように、化粧パネル１２０が取り付けられる。化粧パネル１２０は、略正方形の面を有する板状の部材であるパネル本体部１２１と、オリフィス１０９に対して化粧パネル１２０を取り付けるためのパネル側取り付け部１５１と、を有する。なお、パネル側取り付け部１５１の構造については後で詳細に説明する。
【００２６】  パネル本体部１２１には、一面に一方向に延伸する縞状（図示する例では、ｙ軸方向に延伸する縞状）の格子が設けられている。格子の隙間を空気が流通し、換気が行われる。化粧パネル１２０が設けられることにより、室内側から、オリフィス開口部１１１及び本体開口部１０２ａを介して換気扇本体１０１の内部の部材（例えば、電動機１０５及びファン１０７）が視認され難くなるため、換気扇１０の意匠性を向上させることが可能になる。
【００２７】  換気扇１０は、オリフィス１０９に対して化粧パネル１２０を取り付ける取り付け構造１３０を備える。以下、図２〜図４を参照しながら、かかる取り付け構造１３０について詳細に説明する。
【００２８】  取り付け構造１３０は、化粧パネル１２０に設けられるパネル側取り付け部１５１（本発明の第１の取り付け部に対応する）と、オリフィス１０９に設けられるオリフィス側取り付け部１４１（本発明の第２の取り付け部に対応する）と、を有する。
【００２９】  オリフィス側取り付け部１４１は、略正方形であるオリフィス本体部１１０の化粧パネル１２０と対向する面の４隅に対応する位置にそれぞれ設けられる。図２は、換気扇１０の、４つのオリフィス側取り付け部１４１のうちの１つを含む部分断面図を示している。図２に示すように、オリフィス側取り付け部１４１は、オリフィス本体部１１０の第１の側の面から、当該第１の側に向かって突出するように（すなわち、化粧パネル１２０と対向する面から、当該化粧パネル１２０に向かって突出するように）設けられるボス部１４２と、当該ボス部１４２の内部を突出方向に貫きつつ、オリフィス１０９を貫通するように設けられる貫通孔１４３と、を有する。ボス部１４２は、内部に略円形の貫通孔１４３が設けられた、根元から先端まで略一定の太さの略円筒形状を有する。
【００３０】  なお、オリフィス１０９は、樹脂材料を用いて射出成型により形成され得る。この場合、オリフィス側取り付け部１４１は、オリフィス１０９を形成する際にオリフィス本体部１１０と一体的に形成され得る。一体的に形成することにより、製造コストの低減を図ることができる。
【００３１】  パネル側取り付け部１５１は、オリフィス側取り付け部１４１に対応して、略正方形のパネル本体部１２１のオリフィス１０９と対向する面の４隅に当たる位置にそれぞれ設けられる。つまり、実施の形態１では、略正方形であるパネル本体部１２１のオリフィス本体部１１０との対向面、及び略正方形であるオリフィス本体部１１０のパネル本体部１２１との対向面の、４隅に対応する位置に、取り付け構造１３０がそれぞれ設けられる。
【００３２】  図３は、４つのパネル側取り付け部１５１の１つを、オリフィス１０９と対向する側から見た様子を示している。図３に示すように、パネル側取り付け部１５１は、ボス部１５２と、当該ボス部１５２の先端に設けられる一対の爪部１５３と、を有する。なお、オリフィス側取り付け部１４１のボス部１４２と区別するために、本明細書では、パネル側取り付け部１５１のボス部１５２のことを第１のボス部と記載し、オリフィス側取り付け部１４１のボス部１４２のことを第２のボス部と記載することがある。
【００３３】  ボス部１５２は、根元から先端まで略一定の太さを有する。ボス部１５２の内部には空間が設けられており、ボス部１５２は、根元側（すなわち、パネル本体部１２１の板面側）が有底の略円筒形状を有する。ボス部１５２の外径は、オリフィス側取り付け部１４１の貫通孔１４３の内径よりも僅かに小さくなるように調整されている。
【００３４】  一対の爪部１５３は、ボス部１５２の先端において、略円筒形状の径方向において外側に突出するように形成されている。ボス部１５２の先端には、一対の爪部１５３が設けられる部位以外に切り欠きが設けられている。当該切り欠きにより、一対の爪部１５３は、当該一対の爪部１５３がボス部１５２の略円筒形状の径方向において互いに近付く方向に移動し得るように、弾性変形可能となっている。
【００３５】  なお、化粧パネル１２０は、樹脂材料を用いて射出成型により形成され得る。この場合、パネル側取り付け部１５１は、化粧パネル１２０を形成する際にパネル本体部１２１と一体的に形成され得る。一体的に形成することにより、製造コストの低減を図ることができる。
【００３６】  オリフィス１０９に対して化粧パネル１２０を取り付ける際には、パネル側取り付け部１５１のボス部１５２を、オリフィス側取り付け部１４１の貫通孔１４３に第１の側から挿入する。ボス部１５２の一対の爪部１５３が存在する部位の外径は、オリフィス側取り付け部１４１の貫通孔１４３の内径よりも大きいが、上記のように一対の爪部１５３は当該一対の爪部１５３が互いに近付く方向に移動し得るように弾性変形可能であるため、かかる弾性変形を生じながら、当該一対の爪部１５３が貫通孔１４３の内壁に摺動するようにして、ボス部１５２が貫通孔１４３に挿入される。
【００３７】  オリフィス側取り付け部１４１のボス部１４２及びパネル側取り付け部１５１のボス部１５２の長さは、パネル側取り付け部１５１のボス部１５２がオリフィス側取り付け部１４１の貫通孔１４３に奥まで差し込まれた状態で、一対の爪部１５３がオリフィス１０９の第２の側に露出し得るように調整されている。図４に示すように、一対の爪部１５３は、オリフィス１０９の第２の側に露出すると、弾性変形した状態から元の状態に戻り、オリフィス本体部１１０の当該第２の側の板面に掛止する。つまり、オリフィス側取り付け部１４１の貫通孔１４３の第２の側の開口縁部は、パネル側取り付け部１５１の一対の爪部１５３が掛止される被掛止部として機能する。このようにオリフィス側取り付け部１４１の被掛止部に、パネル側取り付け部１５１の一対の爪部１５３が掛止されることにより、オリフィス１０９に化粧パネル１２０が取り付けられる。
【００３８】  オリフィス１０９から化粧パネル１２０を取り外す際には、まず、化粧パネル１２０が取り付けられた状態で、オリフィス１０９を換気扇本体１０１から取り外す。オリフィス１０９は、換気扇本体１０１のフランジ１０３のフランジ側被掛止部１０４に対してオリフィス側掛止部１１２が掛止されることによって取り付けられているだけであるため、容易に取り外すことができる。
【００３９】  オリフィス１０９の第２の側には、化粧パネル１２０のパネル側取り付け部１５１の一対の爪部１５３が露出し、オリフィス本体部１１０の当該第２の側の板面に掛止している。ユーザは、当該一対の爪部１５３を摘むようにして、ボス部１５２の径方向において互いに近付くように当該一対の爪部１５３を弾性変形させながら、パネル側取り付け部１５１のボス部１５２をオリフィス側取り付け部１４１の貫通孔１４３から引き抜くように、化粧パネル１２０をオリフィス１０９に対して移動させる。これにより、オリフィス１０９から化粧パネル１２０が取り外される。
【００４０】  以上説明したように、実施の形態１に係る換気扇１０では、化粧パネル１２０をオリフィス１０９に取り付ける取り付け構造１３０が、化粧パネル１２０に設けられるパネル側取り付け部１５１（第１の取り付け部）と、オリフィス１０９に設けられるオリフィス側取り付け部１４１（第２の取り付け部）と、を有する。パネル側取り付け部１５１は、オリフィス１０９に向かって突出するボス部１５２（第１のボス部）と、当該ボス部１５２に設けられる爪部１５３と、を有する。オリフィス側取り付け部１４１は、オリフィス１０９の第１の側と第２の側とを連通させる貫通孔１４３を有する。そして、オリフィス１０９に対して化粧パネル１２０が取り付けられた状態では、パネル側取り付け部１５１のボス部１５２がオリフィス側取り付け部１４１の貫通孔１４３に第１の側から挿入され、オリフィス１０９の第２の側に、パネル側取り付け部１５１の爪部１５３が露出し掛止される。かかる取り付け構造１３０を有することにより、ユーザは、パネル側取り付け部１５１のボス部１５２をオリフィス側取り付け部１４１の貫通孔１４３に差し込むだけで、化粧パネル１２０をオリフィス１０９に取り付けることが可能になる。また、上述したように、ユーザは、オリフィス１０９の第２の側から一対の爪部１５３を摘みながら、パネル側取り付け部１５１のボス部１５２をオリフィス側取り付け部１４１の貫通孔１４３から引き抜くことにより、化粧パネル１２０をオリフィス１０９から取り外すことが可能になる。
【００４１】  このように、実施の形態１によれば、工具を用いることなく、従来の一般的な換気扇における化粧パネルの取り付け構造（例えば、ねじによって取り付けるもの、及び嵌め殺しになっているもの）に比べて、容易に化粧パネル１２０の着脱を行うことが可能である。化粧パネル１２０を容易に着脱可能であることにより、例えば、多様なデザインの化粧パネル１２０が用意され、居室の内装に応じてユーザがそれらを適宜付け替える、といったより自由度の高い化粧パネル１２０の利用方法が可能となる。ユーザの好みに応じて化粧パネル１２０を交換可能であることにより、より意匠性に優れた換気扇１０が実現され得る。また、オリフィス１０９から化粧パネル１２０を取り外し、両者を個別に清掃することが容易に可能となるため、換気扇１０の、室内側に位置しユーザによって視認され得る部位を清潔な状態に維持することができる。よって、より美観に優れた換気扇１０が実現され得る。
【００４２】  なお、本明細書において「爪部１５３がオリフィス１０９の第２の側に露出する」とは、爪部１５３が、第２の側からユーザが手で摘むことができる程度に露出している状態を意味する。実施の形態１では、爪部１５３がオリフィス１０９の第２の側に露出した状態で、当該第２の側に掛止されることにより、上記のように、ユーザは、工具を用いることなく、容易に化粧パネル１２０を取り外すことが可能になる。
【００４３】  ここで、実施の形態１では、換気扇１０において、略正方形であるパネル本体部１２１のオリフィス本体部１１０との対向面、及び略正方形であるオリフィス本体部１１０のパネル本体部１２１との対向面の、４隅に対応する位置に、取り付け構造１３０がそれぞれ設けられる。従って、ｚ軸回りに化粧パネル１２０を９０度回転させた状態であっても、元の状態と同様に、オリフィス１０９に対して化粧パネル１２０を取り付けることが可能である。これにより、化粧パネル１２０のデザインがｘ−ｙ平面内において方向性を有する場合（すなわち、ｚ軸回りに回転させた場合に、化粧パネル１２０のデザインが変化する場合）には、ユーザは、自身の好み及び機能性等に応じて、化粧パネル１２０の向きを適宜選択することが可能となる。
【００４４】  例えば、上述した構成例のように、一方向に延伸する縞状の格子を有する化粧パネル１２０であれば、当該化粧パネル１２０をｚ軸回りに９０度回転させることにより、格子の延伸方向が変化し得る。例えば、換気扇１０が比較的上方に設置されており、ユーザが化粧パネル１２０を見上げることとなる場合には、格子の延伸方向がｘ軸方向と略平行となるように化粧パネル１２０を取り付けることにより、ユーザの視線が格子によって遮られやすくなるため、内部の部材を見え難くする効果がより奏されることとなる。つまり、意匠性がより向上し得る。一方で、格子の延伸方向がｘ軸方向と略平行となるように化粧パネル１２０を取り付ける場合には、格子の延伸方向が上下方向と略直交することとなるため、格子の延伸方向がｙ軸方向と略平行となるように化粧パネル１２０を取り付ける場合に比べて、格子に塵埃等のごみが付着しやすくなる。つまり、化粧パネル１２０が汚れやすくなる。このように、上述した構成例であれば、化粧パネル１２０のｘ−ｙ平面内における向きによって、意匠性、及び汚れやすさが変化し得る。従って、実施の形態１のように、化粧パネル１２０のｘ−ｙ平面内における向きを９０度変更可能であることにより、ユーザは、自身の好みや、居室の環境等に応じて化粧パネル１２０の向きを適宜変更することが可能となり、ユーザにとってより利便性の高い換気扇１０が実現され得る。
【００４５】  以下、本発明の他の実施の形態について説明する。なお、以下の各実施の形態についての説明では、上述した実施の形態１と重複する事項についてはその説明を省略し、実施の形態１と相違する事項について主に説明する。
【００４６】  実施の形態２．  図５を参照して、本発明の実施の形態２に係る換気扇の構成について説明する。図５は、本発明の実施の形態２に係る換気扇におけるパネル側取り付け部１５１ａの構造を示す図である。図５では、実施の形態２における化粧パネル１２０ａのパネル側取り付け部１５１ａを、オリフィスと対向する側から見た様子を示している。
【００４７】  上述したように、実施の形態１では、パネル側取り付け部１５１の爪部１５３は、ボス部１５２の先端に設けられていた。一方、図５に示すように、実施の形態２では、パネル側取り付け部１５１ａの爪部１５３ａは、ボス部１５２ａの途中に設けられる。なお、実施の形態２に係る換気扇の構成は、その取り付け構造における、化粧パネル１２０ａのパネル側取り付け部１５１ａの形状が異なる点以外は、実施の形態１に係る換気扇１０と同様であるため、その説明を省略する。
【００４８】  実施の形態２のように、爪部１５３ａがボス部１５２ａの途中に設けられることにより、化粧パネル１２０ａがオリフィスに取り付けられ、爪部１５３ａがオリフィス本体部の第２の側の面に掛止した状態において、ボス部１５２ａの爪部１５３ａよりも先端側の部位が、当該第２の側に突出することとなる。実施の形態２では、当該部位は、ユーザによって摘まれる摘み部１５４ａとして機能する。つまり、ユーザは、化粧パネル１２０ａをオリフィスから取り外す際に、ボス部１５２ａの先端の摘み部１５４ａを摘むことができる。摘み部１５４ａが設けられることにより、例えば実施の形態１のように摘み部１５４ａが設けられない場合に比べて、ユーザは、ボス部１５２ａの先端を摘む動作をより容易に行うことが可能になる。つまり、実施の形態２によれば、化粧パネル１２０ａの取り外しをより容易に行うことが可能になる。
【００４９】  実施の形態３．  図６〜図８を参照して、本発明の実施の形態３に係る換気扇の構成について説明する。図６は、本発明の実施の形態３に係る換気扇におけるオリフィス１０９ｂ及び化粧パネル１２０を室内側から見た様子を示す図である。図７は、本発明の実施の形態３に係る換気扇におけるオリフィス側取り付け部１４１ｂの構造を示す図である。図７は、実施の形態３に係る換気扇におけるオリフィス１０９ｂを、化粧パネル１２０と対向する側から見た様子を示している。図８は、本発明の実施の形態３に係る換気扇におけるオリフィス１０９ｂ及び化粧パネル１２０をオリフィス１０９ｂの第２の側から見た様子を示す図である。
【００５０】  上述したように、実施の形態１では、オリフィス側取り付け部１４１のボス部１４２は、略円筒形状を有していた。一方、図６〜図８に示すように、実施の形態３では、オリフィス側取り付け部１４１ｂの貫通孔１４３ｂは略四角形であり、ボス部１４２ｂは略四角筒形状を有する。なお、実施の形態３に係る換気扇の構成は、その取り付け構造１３０ｂにおける、オリフィス１０９ｂのオリフィス側取り付け部１４１ｂの形状が異なる点以外は、実施の形態１に係る換気扇１０と同様であるため、その説明を省略する。
【００５１】  このように、オリフィス側取り付け部１４１ｂのボス部１４２ｂが略四角筒形状であっても、略円筒形状であるパネル側取り付け部１５１のボス部１５２を、当該ボス部１５２の外壁が貫通孔１４３ｂの内壁に接するように（すなわち、ボス部１５２の略円筒形状の外壁が貫通孔１４３ｂの四角形の内壁に内接するように）形成することにより、取り付け構造１３０ｂにおいて、実施の形態１に係る取り付け構造１３０と同様の機能を実現することが可能である。なお、オリフィス側取り付け部１４１ｂのボス部１４２ｂの形状は、上述した略四角筒形状の構成例に限定されず、例えば六角形や八角形等、他の筒形状であってもよい。
【００５２】  実施の形態４．  図９及び図１０を参照して、本発明の実施の形態４に係る換気扇の構成について説明する。図９は、本発明の実施の形態４に係る換気扇のオリフィス１０９ｃ及び化粧パネル１２０ｃの側面図である。また、図１０は、実施の形態４に係る換気扇のオリフィス１０９ｃ及び化粧パネル１２０ｃの縦断面図である。上述したように、実施の形態１では、オリフィス側取り付け部１４１のボス部１４２は、根元から先端まで略一定の太さを有していた。一方、図９及び図１０に示すように、実施の形態４では、オリフィス側取り付け部１４１ｃのボス部１４２ｃは、その途中に段差を有し、根元側が太く、先端側が細い形状を有する。そして、その内部に設けられる貫通孔１４３ｃも、ボス部１４２ｃの形状に倣って、根元側が大きく、先端側が小さくなるように、途中に径が変化する段差部１４４ｃを有している。
【００５３】  更に、実施の形態４では、パネル側取り付け部１５１ｃのボス部１５２ｃの長さが、実施の形態１のボス部１５２よりも短く形成される。そして、図１０に示すように、化粧パネル１２０ｃがオリフィス１０９ｃに取り付けられた際に、パネル側取り付け部１５１ｃの爪部１５３ｃが、オリフィス本体部１１０の第２の側の板面ではなく、オリフィス側取り付け部１４１ｃの貫通孔１４３ｃの段差部１４４ｃに掛止される（つまり、段差部１４４ｃが、爪部１５３ｃが掛止される被掛止部として機能する）。換言すれば、化粧パネル１２０ｃがオリフィス１０９ｃに取り付けられた際に、パネル側取り付け部１５１ｃの爪部１５３ｃが、オリフィス側取り付け部１４１ｃの貫通孔１４３ｃの段差部１４４ｃに掛止されるように、パネル側取り付け部１５１ｃのボス部１５２ｃの長さが調整されている。なお、化粧パネル１２０ｃを取り外す際の容易性を確保するために、貫通孔１４３ｃの根元側の内径がより大きい部位は、その内径が、少なくともユーザの指が容易に挿入でき、一対の爪部１５３ｃを摘み得るような大きさとなるように構成されている。つまり、貫通孔１４３ｃの根元側の内径がより大きい部位は、一対の爪部１５３ｃがその段差部１４４ｃにおいてオリフィス１０９ｃの第２の側に露出し得るように、構成されている。
【００５４】  なお、実施の形態４に係る換気扇の構成は、その取り付け構造１３０ｃにおける、オリフィス１０９ｃのオリフィス側取り付け部１４１ｃ及び化粧パネル１２０ｃのパネル側取り付け部１５１ｃの形状が異なる点以外は、実施の形態１に係る換気扇１０と同様であるため、その説明を省略する。
【００５５】  ここで、実施の形態１と同様に、パネル側取り付け部１５１ｃは、例えば樹脂材料を用いて射出成型によりパネル本体部１２１と一体的に形成され得る。この場合、パネル側取り付け部１５１ｃのボス部１５２ｃの長さが長いと、パネル本体部１２１のボス部１５２ｃが突出する側とは逆側の面（すなわち、パネル本体部１２１の室内側空間に対向する面）に窪みが生じてしまう（いわゆるヒケが生じてしまう）恐れがある。かかるヒケの発生は、美観を損ねる恐れがあり、意匠性の低下を招き得る。これに対して、実施の形態４によれば、オリフィス側取り付け部１４１ｃのボス部１４２ｃ及び貫通孔１４３ｃが段差を有し、その段差部１４４ｃにパネル側取り付け部１５１ｃの爪部１５３ｃが掛止される構造とすることにより、かかる段差が設けられない場合に比べて、パネル側取り付け部１５１ｃのボス部１５２ｃの長さを短くすることができる。従って、上記のようなヒケの発生を抑制し、より高品質な換気扇を提供することが可能になる。
【００５６】  なお、上述した構成例では、オリフィス側取り付け部１４１ｃのボス部１４２ｃ及び貫通孔１４３ｃが、ともに途中に段差を有していたが、実施の形態４はかかる例に限定されない。貫通孔１４３ｃに段差部１４４ｃが存在すれば、当該段差部１４４ｃが被掛止部として機能し、上記構成例と同様の効果を奏し得る。従って、例えば、ボス部１４２ｃには段差部が設けられず（すなわち、ボス部１４２ｃはその太さが略一定であり）、内部に設けられる貫通孔１４３ｃにのみ、途中に段差部１４４ｃが設けられてもよい。
【００５７】  実施の形態５．  図１１及び図１２を参照して、本発明の実施の形態５に係る換気扇の構成について説明する。図１１は、本発明の実施の形態５に係る換気扇におけるオリフィス１０９及び化粧パネル１２０ｄをオリフィス１０９の第２の側から見た様子を示す図である。図１２は、本発明の実施の形態５に係る換気扇のパネル側取り付け部１５１ｄの構造を示す図である。なお、図１２では、図１１に示す化粧パネル１２０ｄのパネル側取り付け部１５１ｄの１つを抜き出して示している。
【００５８】  上述したように、実施の形態１では、パネル側取り付け部１５１において、１つのボス部１５２に対して一対の爪部１５３が設けられていた。一方、図１１及び図１２に示すように、実施の形態５では、パネル側取り付け部１５１ｄにおいて、１つのボス部１５２ｄに対して１つの爪部１５３ｄが設けられる。なお、実施の形態５に係る換気扇の構成は、その取り付け構造１３０ｄにおけるパネル側取り付け部１５１ｄの形状が異なる点以外は、実施の形態１に係る換気扇１０と同様であるため、その説明を省略する。
【００５９】  実施の形態５に係る取り付け構造１３０ｄのように、１つのボス部１５２ｄに対して１つの爪部１５３ｄが設けられる場合であっても、当該爪部１５３ｄがオリフィス側取り付け部１４１を介してオリフィス本体部１１０の第２の側の面に掛止されることにより、実施の形態１に係る取り付け構造１３０と同様の機能が実現され得る。
【００６０】  なお、パネル側取り付け部１５１ｄは、パネル本体部１２１の略正方形の板面の４隅に対応する位置にそれぞれ設けられるが、各パネル側取り付け部１５１ｄにおいて爪部１５３ｄが設けられる方向は、図１１に示すように、４箇所のパネル側取り付け部１５１ｄのそれぞれにおいて異なることが好ましい。例えば、４箇所のパネル側取り付け部１５１ｄにおける爪部１５３ｄが全て同じ方向（例えば、図１１におけるｙ軸の負方向）に設けられている場合には、その爪部１５３ｄが掛止されている方向とは逆方向（例えば、図１１におけるｙ軸の正方向）に化粧パネル１２０ｄをずらすように動かすことにより、４箇所の爪部１５３ｄの全てがその掛止されている部位から外れる方向に動くこととなり、化粧パネル１２０ｄが取り外されてしまうこととなる。つまり、４箇所の爪部１５３ｄが全て同じ方向に設けられている場合には、意図せず化粧パネル１２０ｄが取り外されてしまうリスクが増加する恐れがある。これに対して、実施の形態５のように、４箇所のパネル側取り付け部１５１ｄについて、爪部１５３ｄが設けられる方向をそれぞれ異なるものとすることにより、ｘ−ｙ平面と平行などの方向に化粧パネル１２０ｄが動かされそうになっても、４箇所の爪部１５３ｄのうちのいずれかは、当該爪部１５３ｄが掛止されている方向に力が加えられることとなるため、化粧パネル１２０ｄが取り外されることがない。このように、実施の形態４によれば、意図せず化粧パネル１２０ｄが取り外されてしまうリスクをより低減することができ、ユーザにとってより利便性が高い換気扇を提供することが可能になる。
【００６１】  以上、添付図面を参照しながら本発明の好適な実施の形態について詳細に説明したが、本発明はかかる例に限定されない。本発明の属する技術の分野における通常の知識を有する者であれば、特許請求の範囲に記載された技術的思想の範疇内において、各種の変形例に想到し得ることは明らかであり、これらについても、当然に本発明の技術的範囲に属するものと了解される。例えば、本発明は、以上説明した実施の形態以外にも、以下のような形態を取り得る。
【００６２】  例えば、上述した各実施の形態では、化粧パネルが取り付けられる被取り付け部材がオリフィスであったが、本発明はかかる例に限定されない。オリフィス以外の部材であっても、上述したオリフィス側取り付け部と同様の構成を設けることにより、化粧パネルが取り付けられる被取り付け部材として機能し得る。化粧パネルが取り付けられる被取り付け部材は、換気扇に備えられる任意の部材であってよい。
【００６３】  また、上述した各実施の形態では、化粧パネル及びオリフィスの板面の形状は、略正方形であったが、本発明はかかる例に限定されない。これらの板面の形状は、例えば円形、長方形等、他の形状であってもよい。ただし、上述した化粧パネルをｚ軸回りに回転させて取り付ける使用方法を採用する場合には、当該使用方法が実現され得るように、ｚ軸回りの回転対称性を考慮して化粧パネル及びオリフィスの板面の形状が決定されることが好ましい。
【００６４】  また、上述した各実施の形態では、化粧パネルの取り付け構造は、換気扇の４箇所に設けられていたが、本発明はかかる例に限定されない。換気扇における取り付け構造の数は、化粧パネルが確実に取り付けられ得る範囲で、任意に決定されてよい。例えば、取り付け構造は、２箇所、又は３箇所に設けられてもよい。この場合、例えば、取り付け構造は、略正方形である化粧パネルとオリフィスとの対向面の４隅のうちの２つまたは３つに対応する位置に設けられてよい。換気扇において取り付け構造が設けられる位置も、化粧パネルとオリフィスとの対向面の４隅に対応する位置に限定されず、化粧パネルが確実に取り付けられ得る範囲で、任意に決定されてよい。
【００６５】  また、上述した各実施の形態では、オリフィス側取り付け部は、ボス部を有していたが、本発明はかかる例に限定されない。オリフィス側取り付け部が貫通孔を有すれば、かかる貫通孔にパネル側取り付け部のボス部が挿通され、その爪部がオリフィスの第２の側に掛止されれば、上述した各実施の形態における取り付け構造と同様の機能が実現され得る。つまり、オリフィス側取り付け部は、ボス部を有さず、貫通孔のみを有してもよい。
【００６６】  あるいは、オリフィス側取り付け部は、貫通孔を有さなくてもよい。この場合、オリフィス側取り付け部は、根元側（オリフィスの板面側）が有底で（つまり貫通孔を有さず）筒形状のボス部を有し、当該ボス部の側壁の一部に穴が設けられており、パネル側取り付け部のボス部が当該ボス部の開口側から挿入されるとともに爪部が当該穴に掛止される構成を有する、取り付け構造が設けられ得る。かかる取り付け構造においては、爪部の一部が上記ボス部の上記穴から露出することとなるため、ユーザは当該爪部を当該穴の中に押し込むように押圧することにより、化粧パネルをから取り外すことができる。つまり、当該取り付け構造においても、上述した各実施の形態における取り付け構造と同様に、化粧パネルの着脱を容易にする効果を得ることができる。
【００６７】  また、上述した各実施の形態では、パネル側取り付け部のボス部は、片側有底の略円筒形状を有していたが、本発明はかかる例に限定されない。ボス部は、取り付け時及び取り外し時に爪部が径方向に移動し得るように、少なくともその先端部分が弾性変形可能であればよい。従って、ボス部は、その爪部が設けられる部位のみ中空であり、その他の部位は中実であってもよい。
【００６８】  また、上述した各実施の形態における取り付け構造は、換気扇において、化粧パネルをオリフィスに取り付けるための取り付け構造であったが、本発明はかかる例に限定されない。上記の各実施の形態における取り付け構造が、換気扇における他の部材の取り付けに対して適用されてもよい。また、換気扇の種類及び構造は限定されず、当該取り付け構造は、各種の公知の換気扇に対して適用されてよい。更には、当該取り付け構造が、換気扇以外の機器における部材の取り付けに対して適用されてもよい。つまり、本発明に係る取り付け構造が適用される部材及び機器は限定されず、任意であってよい。本発明に係る取り付け構造を適用することにより、その該当する部材の取り外しが容易に可能となる効果が奏されるため、ユーザの利便性を向上させることが可能となる。
【００６９】  なお、上述した各実施の形態に記載した事項は、可能な範囲で互いに組み合わされてもよい。例えば、実施の形態３、４、５におけるパネル側取り付け部に対して、実施の形態２に係るパネル側取り付け部と同様に、摘み部が設けられてもよい。また、例えば、実施の形態４、５における取り付け構造において、実施の形態３と同様に、オリフィス側取り付け部の形状が略四角筒形状（又は他の多角形の筒形状）であってもよい。また、例えば、実施の形態５における取り付け構造において、実施の形態４と同様に、オリフィス側取り付け部に、パネル側取り付け部の爪部が掛止される被掛止部として機能する段差部が設けられてもよい。
【符号の説明】
【００７０】  １０  換気扇、１０１  換気扇本体、１０２ａ、１０２ｂ  本体開口部、１０３  フランジ、１０４  フランジ側被掛止部、１０５  電動機、１０６  回転軸、１０７  ファン、１０８  シャッター、１０９、１０９ｂ、１０９ｃ  オリフィス、１１０  オリフィス本体部、１１１  オリフィス開口部、１１２  オリフィス側掛止部、１２０、１２０ａ、１２０ｃ、１２０ｄ  化粧パネル、１２１  パネル本体部、１３０、１３０ｂ〜１３０ｄ  取り付け構造、１４１、１４１ｂ、１４１ｃ  オリフィス側取り付け部、１４２、１４２ｂ、１４２ｃ  ボス部（第２のボス部）、１４３、１４３ｂ、１４３ｃ  貫通孔、１４４ｃ  段差部、１５１、１５１ａ、１５１ｃ、１５１ｄ  パネル側取り付け部、１５２、１５２ａ、１５２ｃ、１５２ｄ  ボス部（第１のボス部）、１５３、１５３ａ、１５３ｃ、１５３ｄ  爪部、１５４ａ  摘み部。
【図１】
2020003391.tif 000003
【図２】
2020003391.tif 000004
【図３】
2020003391.tif 000005
【図４】
2020003391.tif 000006
【図５】
2020003391.tif 000007
【図６】
2020003391.tif 000008
【図７】
2020003391.tif 000009
【図８】
2020003391.tif 000010
【図９】
2020003391.tif 000011
【図１０】
2020003391.tif 000012
【図１１】
2020003391.tif 000013
【図１２】
2020003391.tif 000014
【手続補正書】
【提出日】令和2年7月8日(2020.7.8)
【手続補正１】
【補正対象書類名】特許請求の範囲
【補正対象項目名】全文
【補正方法】変更
【補正の内容】
【特許請求の範囲】
【請求項１】
ファンと、
前記ファンを回転させる電動機と、
前記ファン及び前記電動機を収容し、前記ファンに空気を流通させる本体開口部を有する換気扇本体と、
前記本体開口部を覆うように配設される化粧パネルと、
前記換気扇本体に対して着脱自在であり、第１の側に前記化粧パネルが取り付けられる被取り付け部材と、
を備え、
前記被取り付け部材に対して前記化粧パネルを取り付ける取り付け構造は、
前記化粧パネルに設けられ、前記被取り付け部材に向かって突出する第１のボス部と、前記第１のボス部に設けられる爪部と、前記爪部の先端に設けられる摘み部と、を有する第１の取り付け部と、
前記被取り付け部材に設けられ、前記第１の取り付け部の前記第１のボス部が挿入され前記爪部が前記被取り付け部材の前記第１の側とは逆側の第２の側に露出し掛止される貫通孔を有する、第２の取り付け部と、
を有する、
換気扇。
【請求項２】
前記被取り付け部材は、前記換気扇本体に対して前記本体開口部を覆うように配設され、前記ファンと対向する部位にオリフィス開口部を有するオリフィスである、
請求項１に記載の換気扇。
【請求項３】
前記第１の取り付け部において、前記爪部は、前記第１のボス部の先端に設けられている、
請求項１又は２に記載の換気扇。
【請求項４】
前記第１の取り付け部において、前記爪部は、前記第１のボス部の途中に設けられている、
請求項１又は２に記載の換気扇。
【請求項５】
前記第１の取り付け部において、前記爪部は、１つの前記第１のボス部に対して一対設けられている、
請求項１から４のいずれか１項に記載の換気扇。
【請求項６】
前記第１の取り付け部において、前記爪部は、１つの前記第１のボス部に対して１つ設けられている、
請求項１から４のいずれか１項に記載の換気扇。
【請求項７】
前記第２の取り付け部は、前記化粧パネルに向かって突出する第２のボス部、を更に有し、
前記貫通孔は、前記第２のボス部を突出方向に貫くように形成されている、
請求項１から６のいずれか１項に記載の換気扇。
【請求項８】
前記第２の取り付け部の前記第２のボス部は、略円筒形状である、
請求項７に記載の換気扇。
【請求項９】
前記第２の取り付け部の前記第２のボス部は、略四角筒形状である、
請求項７に記載の換気扇。
【請求項１０】
前記化粧パネルの前記被取り付け部材との対向面の形状、及び前記被取り付け部材の前記化粧パネルとの対向面の形状は、それぞれ、略四角形であり、
前記取り付け構造は、略四角形の２つの前記対向面の４隅に対応する位置にそれぞれ設けられている、
請求項１から９のいずれか１項に記載の換気扇。
【請求項１１】
前記第１の取り付け部において、前記爪部は、１つの前記第１のボス部に対して１つ設けられており、
略四角形の２つの前記対向面の４隅に対応する位置にそれぞれ設けられている４つの前記取り付け構造において、前記爪部が設けられている方向がそれぞれ異なる、
請求項１０に記載の換気扇。
【請求項１２】
換気扇において、ファンに空気を流通させる換気扇本体の開口部を覆うように配設される化粧パネルを、前記換気扇本体に対して着脱自在である被取り付け部材の第１の側に取り付ける取り付け構造であって、
前記取り付け構造は、
前記化粧パネルに設けられ、前記被取り付け部材に向かって突出するボス部と、前記ボス部に設けられる爪部と、前記爪部の先端に設けられる摘み部と、を有する第１の取り付け部と、
前記被取り付け部材に設けられ、前記第１の取り付け部の前記ボス部が挿入され前記爪部が前記被取り付け部材の前記第１の側とは逆側の第２の側に露出し掛止される貫通孔を有する、第２の取り付け部と、
を有する、
化粧パネルの取り付け構造。
【手続補正２】
【補正対象書類名】明細書
【補正対象項目名】０００９
【補正方法】変更
【補正の内容】
【０００９】
上記目的を達成するために、本発明によれば、ファンと、ファンを回転させる電動機と、ファン及び電動機を収容し、ファンに空気を流通させる本体開口部を有する換気扇本体と、本体開口部を覆うように配設される化粧パネルと、換気扇本体に対して着脱自在であり、第１の側に化粧パネルが取り付けられる被取り付け部材と、を備え、被取り付け部材に対して化粧パネルを取り付ける取り付け構造は、化粧パネルに設けられ、被取り付け部材に向かって突出する第１のボス部と、第１のボス部に設けられる爪部と、爪部の先端に設けられる摘み部と、を有する第１の取り付け部と、被取り付け部材に設けられ、第１の取り付け部の第１のボス部が挿入され爪部が被取り付け部材の第１の側とは逆側の第２の側に露出し掛止される貫通孔を有する、第２の取り付け部と、を有する、換気扇が提供される。
【手続補正３】
【補正対象書類名】明細書
【補正対象項目名】００１０
【補正方法】変更
【補正の内容】
【００１０】
上記目的を達成するために、本発明によれば、換気扇において、ファンに空気を流通させる換気扇本体の開口部を覆うように配設される化粧パネルを、換気扇本体に対して着脱自在である被取り付け部材の第１の側に取り付ける取り付け構造であって、当該取り付け構造は、化粧パネルに設けられ、被取り付け部材に向かって突出するボス部と、ボス部に設けられる爪部と、爪部の先端に設けられる摘み部と、を有する第１の取り付け部と、被取り付け部材に設けられ、第１の取り付け部のボス部が挿入され爪部が被取り付け部材の第１の側とは逆側の第２の側に露出し掛止される貫通孔を有する、第２の取り付け部と、を有する、化粧パネルの取り付け構造が提供される。
【国際調査報告】
2020003391.tif 000015
2020003391.tif 000016
2020003391.tif 000017